(57)【要約】【課題】装置周辺部に枠状の透明部を有するディスプレイ装置として、装置全体が表示画面に比べてそれほど大型にならず、かつ装置外観もシャープで質感のあるものとなるようにする。【解決手段】外枠１００の上下左右の側板部の内面に、透明上側板２１０、透明下側板２２０、透明左側板２３０および透明右側板２４０を貼り付け、透明上側板２１０、透明下側板２２０、透明左側板２３０および透明右側板２４０を、それぞれホルダーによって内枠に取り付け、内枠の内側に液晶ディスプレイパネル２０を取り付ける。これにより、透明上側板２１０、透明下側板２２０、透明左側板２３０、透明右側板２４０および外枠１００が浮いた感じに見える。【選択図】図１
2006030321.tif 000002
【特許請求の範囲】
【請求項１】
上下左右の側板部からなる外枠と、
この外枠の内側に配置された内枠と、
前記外枠の上下左右の側板部と前記内枠との間に介在された、全体として枠状の上下左右の透明側板と、
前記内枠の内側に取り付けられたディスプレイと、
を備えるディスプレイ装置。
【請求項２】
請求項１のディスプレイ装置において、
前記外枠は、上下左右の側板が各コーナー部において嵌合されたものであるディスプレイ装置。
【請求項３】
請求項１のディスプレイ装置において、
前記上下左右の透明側板は、それぞれ前記外枠の上下左右の側板部に貼り付けられるとともに、それぞれ保持部材によって前記内枠に固定保持されたディスプレイ装置。
【請求項４】
請求項１のディスプレイ装置において、
前記外枠と前記内枠との間において、前記外枠の各コーナー部には、それぞれジョイントが嵌合されたディスプレイ装置。
【請求項５】
請求項４のディスプレイ装置において、
前記外枠の上下または左右の側板部にブラケットが圧入されることによって、前記ジョイントが前記外枠のコーナー部に固定保持されたディスプレイ装置。
【請求項６】
請求項１のディスプレイ装置において、
前記ディスプレイがフラットディスプレイパネルであるディスプレイ装置。
【請求項７】
請求項６のディスプレイ装置において、
前記フラットディスプレイパネルが液晶ディスプレイパネルであるディスプレイ装置。
【発明の詳細な説明】
【技術分野】
【０００１】
この発明は、テレビジョン受信機の映像表示音声出力装置や、他の電子機器の映像表示装置などとして用いられる液晶ディスプレイ装置などのディスプレイ装置に関する。
【背景技術】
【０００２】
液晶ディスプレイパネル装置やプラズマディスプレイパネル装置などのフラットディスプレイパネル装置として、フラットディスプレイパネルの表示画面の周囲に枠状の透明部を形成することによって、フラットディスプレイパネルの表示画面が宙に浮いているように見えるフローティング効果を生じさせたものが考えられている。
【０００３】
具体的に、特許文献１（特開２００４−６９８２２号公報）および特許文献２（特開２００４−６１９２２号公報）には、プラズマディスプレイパネルの前面側にプラズマディスプレイパネルの表示画面より十分に大きい透明なパネルを配置し、この前面パネルの裏面に枠状の遮蔽層または黒色塗装層を形成することによって、前面パネルの遮蔽層または黒色塗装層が形成された部分の外側の周辺部を枠状の透明部として、フローティング効果を得ることが示されている。
【０００４】
上に挙げた先行技術文献は、以下のとおりである。
【特許文献１】特開２００４−６９８２２号公報
【特許文献２】特開２００４−６１９２２号公報
【発明の開示】
【発明が解決しようとする課題】
【０００５】
しかしながら、上記のように、フラットディスプレイパネルの前面側にフラットディスプレイパネルの表示画面より十分に大きい透明なパネルを配置し、この前面パネルの周辺部をフローティング効果を得るための枠状の透明部とする場合には、ディスプレイ装置が表示画面に比べてかなり大きなものとなる。
【０００６】
そこで、この発明は、装置周辺部に枠状の透明部を有するディスプレイ装置として、装置全体が表示画面に比べてそれほど大型にならず、かつ装置外観もシャープで質感のあるものとなるようにしたものである。
【課題を解決するための手段】
【０００７】
この発明のディスプレイ装置は、
上下左右の側板部からなる外枠と、
この外枠の内側に配置された内枠と、
前記外枠の上下左右の側板部と前記内枠との間に介在された、全体として枠状の上下左右の透明側板と、
前記内枠の内側に取り付けられたディスプレイと、
を備えるものである。
【０００８】
上記の構成の、この発明のディスプレイ装置では、ディスプレイが取り付けられた内枠と外枠との間に介在された上下左右の透明側板が、枠状の透明部となり、ディスプレイ装置を正面側から見たとき、上下左右の透明側板および外枠が浮いた感じに見える。
【発明の効果】
【０００９】
この発明によれば、フローティング効果を得るための枠状の透明部の形成に、内枠、上下左右の透明側板および外枠からなる枠組み構造を用いるので、装置全体が表示画面に比べてそれほど大型にならないとともに、透明部の外側に外枠が存在することによって、装置外観もシャープで質感のあるものとなる。
【発明を実施するための最良の形態】
【００１０】
〔ディスプレイ装置の一例の概要：図１〕
図１は、この発明のディスプレイ装置の一例を示し、液晶ディスプレイ装置の場合である。
【００１１】
この例の液晶ディスプレイ装置は、枠組み装置１０と液晶ディスプレイパネル２０とを備え、スタンド５１に取り付けられる。
【００１２】
枠組み装置１０は、外枠１００、図１では省略した内枠（キャビネット）、および外枠１００と内枠との間に介在された透明上側板２１０、透明下側板２２０、透明左側板２３０および透明右側板２４０を備え、外枠１００の左上、右上、左下および右下のコーナー部に、コーナーカバー５１０，５２０，５３０および５４０が設けられたものである。
【００１３】
透明上側板２１０、透明下側板２２０、透明左側板２３０および透明右側板２４０は、フローティング効果を得るための枠状の透明部を形成するものである。この例では、ディスプレイ装置を正面側から見たとき、これら透明上側板２１０、透明下側板２２０、透明左側板２３０、透明右側板２４０および外枠１００が、浮いた感じに見えるものである。
【００１４】
液晶ディスプレイパネル２０は、内枠の内側に取り付けられ、液晶表示素子およびバックライトを備え、さらに液晶表示素子およびバックライトを駆動する回路部や電源部を備えるものである。
【００１５】
液晶ディスプレイパネル２０の表示画面の周縁と、透明上側板２１０、透明下側板２２０、透明左側板２３０および透明右側板２４０の内側の縁との間のエリアには、内部を覆い隠すようにフロントマスク８９０が配置される。
【００１６】
図では省略したが、フロントマスク８９０には、左右のスピーカの配置位置に相当する位置に多数の微細な放音用丸穴が形成される。
【００１７】
なお、以下では、液晶ディスプレイパネル２０の表示画面の縦方向を上下方向、表示画面の横方向を左右方向、表示画面に垂直な方向（図１の紙面に垂直な方向）を奥行方向（前後方向）、より表示画面の中心に近づく方向を内側、より表示画面の中心から遠ざかる方向を外側とし、奥行方向については、図１の紙面の表側を正面側、図１の紙面の裏側を背面側とする。
【００１８】
〔透明部を形成する枠組み装置の例：図２〜図１０〕
図２に、枠組み装置１０の内枠を除く部分を示す。
【００１９】
外枠１００は、外枠上側板１１０、外枠下側板１２０、外枠左側板１３０および外枠右側板１４０によって構成される。外枠上側板１１０、外枠下側板１２０、外枠左側板１３０および外枠右側板１４０は、それぞれ、例えばアルミニウムの押し出し材によって形成される。
【００２０】
外枠上側板１１０、外枠下側板１２０、外枠左側板１３０および外枠右側板１４０の内面には、それぞれ透明上側板２１０、透明下側板２２０、透明左側板２３０および透明右側板２４０が、それぞれ両面接着テープによって貼り付けられる。
【００２１】
透明上側板２１０、透明下側板２２０、透明左側板２３０および透明右側板２４０は、それぞれ、アクリル板やポリカーボネート板などによって形成され、例えば、上下方向または左右方向の厚みが１０ｍｍ前後、奥行方向（前後方向）の幅が数ｃｍ以上、というように、厚みが幅に比べて十分に小さいものとされる。
【００２２】
透明上側板２１０の内面には、左側の位置にホルダー６１０が、右側の位置にホルダー６２０が、中央の位置にホルダー６３０が、それぞれ両面接着テープによって貼り付けられる。透明下側板２２０の内側にも、左側の位置にホルダー６５０が、右側の位置にホルダー６６０が、中央の位置にホルダー６７０が、それぞれ両面接着テープによって貼り付けられる。
【００２３】
同様に、透明左側板２３０の内側には、上側の位置にホルダー７１０が、下側の位置にホルダー７２０が、中央の位置にホルダー７３０が、それぞれ両面接着テープによって貼り付けられ、透明右側板２４０の内側にも、上側の位置にホルダー７５０が、右側の位置にホルダー７６０が、中央の位置にホルダー７７０が、それぞれ両面接着テープによって貼り付けられる。
【００２４】
ホルダー６１０には突片６１１，６１２，６１３および６１４が、ホルダー６２０には突片６２１，６２２，６２３および６２４が、ホルダー６３０には突片６３１および６３３が、というように、各ホルダーには、これらが貼り付けられた透明上側板２１０、透明下側板２２０、透明左側板２３０および透明右側板２４０が貼り付けられた外枠上側板１１０、外枠下側板１２０、外枠左側板１３０および外枠右側板１４０、すなわち外枠１００を、内枠に取り付けるための突片が、それぞれ一体に形成され、これら突片がネジによって内枠に締結されることによって、外枠１００と内枠が合体され、枠組み装置１０が構成される。
【００２５】
図３に、内枠の一例を示す。この例の内枠９００は、内枠上側板部９１０、内枠下側板部９２０、内枠左側板部９３０および内枠右側板部９４０からなる内枠本体部９５０と、内枠前面部９６０とを有し、プラスチックが一体成型されることによって形成される。
【００２６】
内枠本体部９５０の内側には、上記の各ホルダーの各突片がネジ止めされるネジ孔部９７０が形成され、内枠前面部９６０の左右の板部には、スピーカが臨む透孔９８０が形成される。
【００２７】
そして、上述したように、このように一体化された内枠９００に、図２に示したように透明上側板２１０、透明下側板２２０、透明左側板２３０および透明右側板２４０が貼り付けられた外枠１００が取り付けられる。
【００２８】
図４に、外枠１００の上側部の構成を示す。図１および図２では示していないが、図４（Ａ）に示すように、透明上側板２１０の左右の端面２１１および２１２は、左右方向および上下方向に対して４５度の傾きの傾斜面とされる。
【００２９】
ホルダー６１０，６２０および６３０は、それぞれ両面接着テープによって透明上側板２１０の内面に貼り付けられ、そのホルダー６１０，６２０および６３０が貼り付けられた透明上側板２１０は、両面接着テープによって外枠上側板１１０の内面に貼り付けられる。
【００３０】
図４（Ｂ）に示すような、この組立て状態で、透明上側板２１０の内側および外側の両面接着テープが正面側から見えないように、あらかじめ、すなわち両面接着テープによる貼り付け前に、透明上側板２１０の内面および外面には、印刷によって鏡面薄膜が形成される。
【００３１】
外枠１００の上側部の構成部品としては、そのほか、図２に示した左上コーナー部１１の組立て用に、コーナーブラケット３１０、コーナージョイント４１０およびコーナーカバー５１０が用いられ、図２に示した右上コーナー部１２の組立て用に、コーナーブラケット３２０、コーナージョイント４２０およびコーナーカバー５２０が用いられる。
【００３２】
外枠１００の下側部は、上述した上側部に対して上下対称に構成される。
【００３３】
図５に、外枠１００の左側部の構成を示す。図１および図２では示していないが、図５（Ａ）に示すように、透明左側板２３０の上下の端面２３１および２３２は、左右方向および上下方向に対して４５度の傾きの傾斜面とされる。
【００３４】
ホルダー７１０，７２０および７３０は、それぞれ両面接着テープによって透明左側板２３０の内面に貼り付けられ、そのホルダー７１０，７２０および７３０が貼り付けられた透明左側板２３０は、両面接着テープによって外枠左側板１３０の内面に貼り付けられる。
【００３５】
図５（Ｂ）に示すような、この組立て状態で、透明左側板２３０の内側および外側の両面接着テープが正面側から見えないように、あらかじめ、すなわち両面接着テープによる貼り付け前に、透明左側板２３０の内面および外面には、印刷によって鏡面薄膜が形成される。
【００３６】
外枠１００の右側部は、上述した左側部に対して左右対称に構成される。
【００３７】
図６に、外枠上側板１１０の右端部の構成を示す。図６（Ａ）は、正面側から見た図であり、図６（Ｂ）は、内側から見た図である。
【００３８】
外枠上側板１１０の正面側端部１１２の右端には、傾斜凹部１１２ａが形成され、背面側端部１１３の右端にも、傾斜凹部１１３ａが形成される。
【００３９】
外枠上側板１１０の右端部の内面１１１は、正面側端部１１２および背面側端部１１３より低い面とされ、その右端には、右端溝部１１５および右端凸部１１４が形成される。右端凸部１１４は、内面１１１と同じ高さであり、右端溝部１１５は、その右端凸部１１４と平行なものである。
【００４０】
内面１１１の正面側端部１１２寄りの部分には、後述のように２段の屋根状の係合板部１１６が一体に形成され、背面側端部１１３寄りの部分にも、同様の係合板部１１７が一体に形成される。さらに、内面１１１の奥行方向の中央部には、屋根状の係止板部１１８および１１９が一体に形成される。
【００４１】
外枠上側板１１０の左端部は、上記の右端部に対して左右対称に形成される。また、外枠下側板１２０の左端部は、外枠上側板１１０の左端部に対して上下対称に形成され、外枠下側板１２０の右端部は、外枠上側板１１０の右端部に対して上下対称に、すなわち外枠下側板１２０の左端部に対して左右対称に形成される。
【００４２】
図７に、図４に示した外枠上側板１１０の右端部で用いられるコーナーブラケット３２０の構成を示す。図７（Ａ）は、正面側から見た図であり、図７（Ｂ）は、内側から見た図である。
【００４３】
コーナーブラケット３２０は、外枠上側板１１０の右端部に沿う上側板部３２１と、これに対して垂直な、外枠右側板１４０の上端部に沿う右側板部３２７とが、一体に形成されたものとされる。
【００４４】
その上側板部３２１の正面側および背面側には、脚部３２２および３２３が形成され、その脚部３２２，３２３間の右端には、端面３２６が形成される。
【００４５】
さらに、上側板部３２１の正面側および背面側の縁には、係合爪３２４および３２５が、例えば２個ずつ形成される。
【００４６】
図４に示した外枠上側板１１０の左端部で用いられるコーナーブラケット３１０は、上記のコーナーブラケット３２０に対して左右対称に形成される。また、外枠下側板１２０の左端部および右端部で用いられるコーナーブラケットは、それぞれコーナーブラケット３１０および３２０に対して上下対称に形成される。
【００４７】
各コーナー部１１，１２，１３および１４を組立てる前に、以下の工程を以下の順序で行う。
【００４８】
（１）まず、外枠上側板１１０、外枠下側板１２０、外枠左側板１３０および外枠右側板１４０の内面に、それぞれ両面接着テープを貼り付ける。
【００４９】
（２）次に、図２に示したホルダー６１０，６２０，６３０，６５０，６６０，６７０，７１０，７２０，７３０，７５０，７６０および７７０に、それぞれ両面接着テープを貼り付ける。
【００５０】
（３）次に、そのホルダー６１０，６２０および６３０を透明上側板２１０に貼り付け、ホルダー６５０，６６０および６７０を透明下側板２２０に貼り付け、ホルダー７１０，７２０および７３０を透明左側板２３０に貼り付け、ホルダー７５０，７６０および７７０を透明右側板２４０に貼り付ける。
【００５１】
（４）次に、その透明上側板２１０を外枠上側板１１０の内面に貼り付け、透明下側板２２０を外枠下側板１２０の内面に貼り付け、透明左側板２３０を外枠左側板１３０の内面に貼り付け、透明右側板２４０を外枠右側板１４０の内面に貼り付ける。
【００５２】
以上の工程を行った後、以下のように、外枠上側板１１０のコーナー部１１，１２および外枠下側板１２０のコーナー部１３，１４を組立てる。
【００５３】
外枠上側板１１０の右上コーナー部１２の組立てについて示すと、まず、後述のように、図４に示したコーナーカバー５２０をコーナージョイント４２０に貼り付け、そのコーナーカバー５２０が貼り付けられたコーナージョイント４２０を外枠上側板１１０の右端部に挿入する。
【００５４】
次に、図８（Ａ）に示すように、コーナーブラケット３２０の上側板部３２１の係合爪３２４および３２５を内側に曲げ、さらに、図８（Ｂ）の矢印３２８で示すように、そのコーナーブラケット３２０の上側板部３２１を、外枠上側板１１０の右端部の係合板部１１６および１１７と内面１１１との間に圧入する。
【００５５】
係合板部１１６および１１７は、それぞれ、図６に示した外枠上側板１１０の正面側端部１１２および背面側端部１１３に近い部分が、内面１１１からの距離が相対的に小さい低い屋根とされ、その部分より係止板部１１８および１１９に近い部分が、内面１１１からの距離が相対的に大きい高い屋根とされ、上記のようにコーナーブラケット３２０の上側板部３２１を係合板部１１６および１１７と内面１１１との間に圧入したとき、上側板部３２１の係合爪３２４および３２５は、その低い屋根の部分に圧入される。
【００５６】
ただし、図８では、上記のコーナーカバー５２０およびコーナージョイント４２０を省略している。図８（Ｃ）に示すように、コーナーブラケット３２０の上側板部３２１は、端面３２６が係止板部１１８および１１９に突き当たり、右側板部３２７が外枠上側板１１０の右端溝部１１５の一部を覆う位置まで圧入される。
【００５７】
このようにコーナーブラケット３２０が圧入された状態では、図８（Ｂ）の矢印３２９で示すようにコーナーブラケット３２０を引き抜こうとしても、係合爪３２４および３２５が係合板部１１６および１１７に喰い込むために、コーナーブラケット３２０を引き抜くことができない。したがって一旦、コーナーカバー５２０、コーナージョイント４２０およびコーナーブラケット３２０を外枠上側板１１０の右端部に組立てた後は、その組立て部を破壊するなどの非常手段によらない限り、組立て状態が保持される。
【００５８】
図９に、その組立て状態を示す。コーナージョイント４２０は、外側横板部４２１、外側縦板部４２２、内側横板部４２３、内側縦板部４２４および連結板部４２５が一体に形成されたものとされ、その外側横板部４２１は、図７および図８に示したコーナーブラケット３２０の上側板部３２１と同様に、２つの脚部を有するものとされる。
【００５９】
ただし、コーナージョイント４２０の奥行方向（図９の紙面に垂直な方向）の幅は、外枠上側板１１０のそれ（奥行方向の幅）より小さくされる。
【００６０】
図２に示した右上コーナー部１２のコーナーカバー５２０は、図９に示すようなコーナーカバー基部５２３の奥行方向（図９の紙面に垂直な方向）の両端に、図９では省略した透明上側板２１０の右端および透明右側板２４０の上端を覆い隠す形状の端板部が一体に形成されたものとされる。図１および図２のコーナーカバー５２０は、その正面側の端板部を示したものである。
【００６１】
コーナーカバー基部５２３は、４５度の角度を形成する２つの板部５２１および５２２によって形成され、板部５２１の両端に上記の端板部が形成される。
【００６２】
右上コーナー部１２の組立てに当たっては、図９に示すように、板部５２１を両面接着テープ８２０によって連結板部４２５に貼り付けることによって、コーナーカバー５２０（コーナーカバー基部５２３）をコーナージョイント４２０に取り付け、次に、そのコーナーカバー５２０が取り付けられたコーナージョイント４２０の外側横板部４２１を、外枠上側板１１０の右端部の図６および図８に示した係合板部１１６および１１７と内面１１１との間に、外側横板部４２１が係止板部１１８および１１９に突き当たる位置まで挿入する。
【００６３】
このとき、外側横板部４２１は、上述した高い屋根の部分に挿入され、外側横板部４２１と外枠上側板１１０との間には、コーナーブラケット３２０の上側板部３２１を圧入できる分のスペースが形成される。
【００６４】
このようにコーナージョイント４２０を外枠上側板１１０の右端部に挿入した後、上述したようにコーナーブラケット３２０を外枠上側板１１０の右端部に圧入する。
【００６５】
以上で、外枠上側板１１０の右上コーナー部１２の組立てが終了する。同様に、外枠上側板１１０の左上コーナー部１１の組立てが終了することによって、図４（Ｂ）の状態となる。
【００６６】
外枠下側板１２０についても、外枠上側板１１０と同様の組立てを行う。
【００６７】
次に、上述したように組立てられた外枠上側板１１０、外枠下側板１２０、外枠左側板１３０および外枠右側板１４０を、内枠９００に組立てる。
【００６８】
まず、外枠左側板１３０および外枠右側板１４０を内枠９００に取り付けるが、このとき、外枠左側板１３０および外枠右側板１４０側の各ホルダーの突片を内枠本体部９５０にネジで固定することによって、外枠左側板１３０および外枠右側板１４０を内枠９００に取り付ける。
【００６９】
次に、コーナー部１１〜１４を合わせて、外枠上側板１１０および外枠下側板１２０側の各ホルダーの突片を内枠本体部９５０にネジで固定することによって、外枠上側板１１０および外枠下側板１２０を内枠９００に取り付ける。
【００７０】
図９および図１０に、外枠右側板１４０の上端部の構成の一例、および外枠上側板１１０と外枠右側板１４０の嵌合状態の一例を示す。
【００７１】
外枠右側板１４０の上端の正面側には、図６に示した外枠上側板１１０の傾斜凹部１１２ａに嵌合する傾斜凸部１４２ａが形成され、外枠右側板１４０の上端の背面側にも、図６に示した外枠上側板１１０の傾斜凹部１１３ａに嵌合する傾斜凸部が形成される。
【００７２】
また、外枠右側板１４０の上端には、図６および図８に示した外枠上側板１１０の右端溝部１１５に嵌合する上端凸部１４４が形成される。さらに、外枠右側板１４０の上端右面には、正面側および背面側の端部に上端係止部１４４ｘおよび１４４ｙが形成される。
【００７３】
そして、上述したようにコーナーブラケット３２０を外枠上側板１１０の右端部に圧入した後、外枠右側板１４０の上端凸部１４４を外枠上側板１１０の右端溝部１１５に挿入し、外枠右側板１４０の正面側の傾斜凸部１４２ａを外枠上側板１１０の傾斜凹部１１２ａに突き当て、外枠右側板１４０の背面側の傾斜凸部を外枠上側板１１０の傾斜凹部１１３ａに突き当て、外枠上側板１１０の右端凸部１１４が外枠右側板１４０の上端係止部１４４ｘ，１４４ｙ間に嵌合するように、外枠右側板１４０を外枠上側板１１０に嵌合する。
【００７４】
このように右上コーナー部１２は、ネジやリベットなどによらずに、外枠上側板１１０と外枠右側板１４０との嵌合によって組立てられ、美観的にも優れたものとなる。
【００７５】
左上コーナー部１１、左下コーナー部１３および右下コーナー部１４も、同様に構成され、同様に嵌合によって組立てる。
【００７６】
このように組立てられた枠組み装置１０では、右上コーナー部１２につき示すと、外枠上側板１１０と外枠右側板１４０の組立て状態は、左右方向、上下方向および奥行方向（前後方向）のいずれの方向にも、ほとんど位置ずれを生じない。左上コーナー部１１における外枠上側板１１０と外枠左側板１３０の組立て状態、左下コーナー部１３における外枠下側板１２０と外枠左側板１３０の組立て状態、および右下コーナー部１４における外枠下側板１２０と外枠右側板１４０の組立て状態についても、同じである。
【００７７】
さらに、図１０に示すように、右上コーナー部１２では、透明上側板２１０の右端の傾斜した端面２１２、および透明右側板２４０の上端の傾斜した端面２４１が、コーナーカバー５２０の上述した端板部によって覆い隠される。これによって、透明上側板２１０および透明右側板２４０につき、製作上の誤差や、外枠上側板１１０および外枠右側板１４０への取り付け（貼り付け）位置の誤差を生じても、右上コーナー部１２において透明上側板２１０の右端および透明右側板２４０の上端が見えることがなく、製品の品位が保持される。
【００７８】
左上コーナー部１１、左下コーナー部１３および右下コーナー部１４についても、同様である。
【００７９】
また、この例のように、外枠１００を、上下左右の枠部を一体に形成することなく、外枠上側板１１０、外枠下側板１２０、外枠左側板１３０および外枠右側板１４０によって構成する場合には、金型を使用したアルミニウムダイキャストなどの一体成形によらずに、アルミニウムの押し出し成型などの方法によって、外枠１００を容易に製造することができる。
【００８０】
さらに、以上の例のように、枠状の透明部を構成する透明上側板２１０、透明下側板２２０、透明左側板２３０および透明右側板２４０の外側にアルミニウムなどからなる外枠１００を設けることによって、ディスプレイ装置の外観もシャープで質感のあるものとなる。
【００８１】
〔他の実施形態〕
上記の例のように、外枠１００を外枠上側板１１０、外枠下側板１２０、外枠左側板１３０および外枠右側板１４０によって構成する場合には、上述したように外枠１００を容易に製造することができるが、外枠は、上下左右の側板部を一体に形成してもよい。
【００８２】
また、上述した例は、この発明を液晶ディスプレイ装置に適用した場合であるが、この発明は、プラズマディスプレイ装置などの、他のフラットディスプレイ装置にも適用することができ、さらには、フラットディスプレイ装置に限らず、他のディスプレイ装置にも適用することができる。
【図面の簡単な説明】
【００８３】
【図１】この発明のディスプレイ装置の一例を示す図である。
【図２】透明部を構成する枠組み装置の一例の内枠を除く部分を示す図である。
【図３】内枠の一例を示す図である。
【図４】枠組み装置の上側部の一例を示す図である。
【図５】枠組み装置の左側部の一例を示す図である。
【図６】外枠上側板の右端部の一例を示す図である。
【図７】コーナーブラケットの一例を示す図である。
【図８】外枠上側板の右端部にコーナーブラケットが圧入された状態を示す図である。
【図９】枠組み装置の右上コーナー部の組立て状態を示す図である。
【図１０】枠組み装置の右上コーナー部の組立て状態を示す図である。
【符号の説明】
【００８４】
主要部については図中に全て記述したので、ここでは省略する。
【図１】
2006030321.tif 000003
【図２】
2006030321.tif 000004
【図３】
2006030321.tif 000005
【図４】
2006030321.tif 000006
【図５】
2006030321.tif 000007
【図６】
2006030321.tif 000008
【図７】
2006030321.tif 000009
【図８】
2006030321.tif 000010
【図９】
2006030321.tif 000011
【図１０】
2006030321.tif 000012